(57)【要約】      （修正有）【課題】天体時計デバイスを提供する。【解決手段】天体の位置を示すように設計した計時器に関し、計時器は、現在時刻を決定する回路１、計時器の地理的位置を決定する回路２、現在時刻及び計時器の地理的位置に応じて天体の位置を決定するように設計した手段４、第１の針８ａ、第２の針８ｂ、及び針を計時器の主要面内で回転駆動し、天体の決定した位置を表示する手段８ｃを備える。【選択図】図４
2019049548.tif 000002
【特許請求の範囲】
【請求項１】
天体の位置を示すように設計した計時器において、前記計時器は、
−現在時刻を決定する回路（１）、
−前記計時器の地理的位置を決定する回路（２）、
−現在時刻及び前記計時器の地理的位置に応じて天体の位置を決定するように設計した手段（４）、
−第１の針（８ａ）、第２の針（８ｂ）、及び前記針を前記計時器の主要面（ＸM，ＹM）内で回転駆動し、天体の決定した位置を表示するように設計した手段（８ｃ）を備える表示システム
を備えることを特徴とする、計時器。
【請求項２】
前記表示システム（６）は、
−前記計時器の第１の動作モードでは、現在時刻を表示し、
−前記計時器の第２の動作モードでは、天体の決定した位置を表示する
ように設計することを特徴とする、請求項１に記載の計時器。
【請求項３】
天体の位置は、方位角（αA）及び仰角（βA）を使用して、前記計時器を中心とする水平座標系内で決定し、前記座標系は、水平面（Ｘ0，Ｙ0）及び垂直軸（Ｚ0）によって定義し、前記針駆動手段は、前記水平面における方位軸（Ｙ0）を決定し、前記決定した天体の方位角に従って第１の針を前記方位軸に対して向けるように設計する、請求項１又は２に記載の計時器。
【請求項４】
前記針駆動手段は、前記計時器に関連する基準軸（ＹM）に対して、天体の仰角βAに等しい角度βで第２の針を位置決めするように設計する、請求項３に記載の計時器。
【請求項５】
前記針駆動手段は、前記水平面に対して、前記決定した天体の仰角βAで、前記第２の針を向けるように設計する、請求項３に記載の計時器。
【請求項６】
複数の天体から１つの天体を選択する手段を更に備える、請求項１から５のいずれか一項に記載のデバイス。
【請求項７】
前記計時器の動作モードを選択する選択手段（１０）を更に備える、請求項２から６のいずれか一項に記載の計時器。
【請求項８】
腕時計型である、請求項１から７のいずれか一項に記載の計時器。
【発明の詳細な説明】
【技術分野】
【０００１】
本発明は、太陽系における天体の位置を示すことができる天体時計デバイス、例えば腕時計に関する。
【背景技術】
【０００２】
そのような時計は、例えば、文献ＥＰ０９４９５４９から公知であり、ＥＰ０９４９５４９は、現在の日付又は何らかの他の日付における、黄道帯内の天体（惑星又は太陽）の位置を表示するように設計した時計を記載している。単にアナログ表示を用いる、記載の実施形態の１つによれば、時計は、環形状の文字板を備え、文字板の外周では、時及び分の目盛りを担い、文字板の内側では、黄道十二星座のシンボル及び４つの主な月の位相の表示を担う。時計は、天体のシンボル表示を担う回転ベゼルも備え、天体のシンボル表示は、選択した天体のシンボルが１２時位置に至るまでベゼルを回転させることによって選択することができる。黄道星座内で選択した天体の位置は、計算され、次に、所定の位置に分針を位置決めすることによって表示され、この所定位置において、時計は、選択した天体が位置する黄道星座、及び当該黄道星座内の上記天体のおおよその位置をそれぞれを、シンボル１８及び文字板１６の時・分目盛り１７を使用して同時に表示する。
【０００３】
そのような時計は、天体が位置する黄道星座、及び所与の日付での上記黄道星座における上記天体の位置の表示を可能にする。しかし、ユーザが、関連する黄道星座を位置特定する方法を知らなければ、ユーザが、選択した天体を天空内で容易に発見することはできない。更に、時計の文字板及びベゼル上に表示されるシンボルの数を考慮に入れると、この情報は常に容易に読み取れるわけではない。
【先行技術文献】
【特許文献】
【０００４】
【特許文献１】ＥＰ０９４９５４９
【発明の概要】
【課題を解決するための手段】
【０００５】
本発明は、新規の時計デバイスを提案するものであり、時計デバイスは、天空における天体の位置を特定すること、したがって、知識の乏しいユーザに、天空における上記天体又は惑星を特定する単純な手段を与えることを可能にする。このために、本発明は、天体の位置を示すように設計した計時器を提案し、計時器は、
−現在時刻を決定する回路、
−計時器の地理的位置を決定する回路、
−現在時刻及び計時器の地理的位置に応じて天体の位置を決定するように設計した手段、
−第１の針、第２の針、及び上記針を計時器の主要面で回転駆動し、天体の決定した位置を表示するように設計した手段を備える表示システム
を備えることを特徴とする。
【０００６】
したがって、本発明による時計デバイスは、探している天体の位置を天空内に直接表示する。したがって、ユーザは、表示システムの針が与える方向に従うことによって、天空内に天体を直接見ることができる。
【０００７】
一実施形態によれば、天体の位置は、方位角（αA）及び仰角（βA）を使用して、計時器を中心とする水平座標系内で決定し、座標系は、水平面（Ｘ0，Ｙ0）及び垂直軸（Ｚ0）によって定義し、水平面は、方位軸（Ｘ0）を含み、針駆動手段は、水平面における方位軸を決定し、天体の決定した方位角に従って第１の針を方位軸に対して向けるように設計する。したがって、宇宙の天体の方位角に、ユーザが直接アクセス可能であり、ユーザは、自分自身を水平面内で方位角に容易に向けることができる。
【０００８】
更に、一実施形態によれば、針駆動手段は、上記計時器に関連する基準軸（XM）に対して、天体の仰角βAに等しい角度βで、水平面内に第２の針を位置決めするように設計する。代替として、針回転手段は、水平面に対して、天体の決定した仰角βAで、第２の針を向けるように設計することができる。
【０００９】
一実施形態によれば、時計デバイスは、複数の天体から１つの天体を選択する手段を更に備えることができる。
【００１０】
最後に、一実装形態によれば、時計デバイスは、腕時計型であり、ユーザが活動中に使用するのがより容易である。
【００１１】
以下、完全に非限定的な例として示す添付の図面を用いて本発明をより詳細に説明する。
【図面の簡単な説明】
【００１２】
【図１】水平座標系における天体の座標を示す図である。
【図２】ある任意の位置にある、本発明による時計デバイスの図である。
【図３】指している天体の位置に相関する位置にある、本発明による時計デバイスの図である。
【図４】本発明による時計デバイスの必須の構成要素を表すブロック図である。
【発明を実施するための形態】
【００１３】
上述のように、本発明は、天体の位置を示すように設計した時計デバイス又は計時器に関する。図２及び図３に示す例では、計時器は腕時計であるが、懐中時計、クロノメータ等の他の計時器を想定することができる。
【００１４】
本発明の実施に必須の計時器の要素は、図４に概略的に示し、
−現在時刻を決定する回路１、
−計時器の地理的位置を決定する回路２、
−現在時刻及び計時器の地理的位置に応じて天体の位置を決定するように設計した手段４、
−第１の針８ａ、第２の針８ｂ、及び上記針を計時器の主要面で回転駆動し、天体の決定した位置を表示するように設計した手段８ｃを備える表示システム
である。
【００１５】
実用的な観点から、選択した例の時計において、全ての構成要素は、従来の様式でケース中板内に一緒にまとめ、ケース中板に、２本のブレスレット・ストラップを取り付ける。ケース中板は、裏蓋と嵌合し、上部でガラスによって閉鎖される。この例における２つの針８ａ、８ｂは、環形の文字板を通過し、文字板は、その外縁に、時、分及び／又は度の目盛りが付けられている。
【００１６】
計時器に関連するデカルト座標系は、２つの軸ＸM、ＹMによって定義され、２つの軸ＸM、ＹMは、互いに直交し、両方とも、針の回転軸ＺMに直交し、３つの軸は、点Ｏで交差する。図示の例では、軸ＹMは、１２時に対応する文字板の目盛りの方を指し、軸ＸMは、３時に対応する文字板の目盛りの方を指す。ＸM及びＹMは、計時器の主要面を画定する。
【００１７】
回路１は、時計円における従来のレイアウトに従って作製し、本質的に、回路１は、標準周波信号を生成する時間基準、及び上記標準周波信号から現在時刻を決定するように設計した回路を含む。
【００１８】
測位回路２は、他でも公知であり、例えば、ＧＰＳ（全地球測位システム）チップ等であり、ＧＰＳチップが衛星測位システムから受信した信号から地球上の地理的位置を決定することができる。
【００１９】
表示システム８は、本発明の背景では、少なくとも２つの針８ａ、８ｂ、及び針の位置を制御する手段８ｃを備えるアナログ・システムである。当然、表示システムは、他の針、擬似アナログ型、例えば疑似アナログ型等をデジタル表示する電気光学的表示セル等の他の要素を備えることもでき、これらの他の要素は、計時器の他の機能のために他の場所で使用するものであってもよい。本発明の状況において、表示システムは、
−計時器の第１の動作モードでは、現在時刻を表示し、
−計時器の第２の動作モードでは、天体の決定した位置を表示する
ように設計する。
【００２０】
手段４は、本質的に、データ・メモリ４ａ、プログラム・メモリ４ｂ及び処理ユニット４ｃを備える。
【００２１】
データ・メモリ４ａは、特に、データベースの形態で保存した、指すことができる天体（少なくとも１つの天体）のリストを備える天空マップ、及び特定する各天体のための、太陽系における地球に対する天体位置を示すデータを備えることができる。実用的な観点から、データ・メモリは、計時器のケース内で、処理ユニット４ｃのすぐ近傍に配置することができる。代替として、データ・メモリの全て又は一部は、遠隔データ・サーバ内にオフロードすることができる。この場合、手段４は、データ・サーバ上のデータにアクセスする適切な送受信手段も備えることになる。更なる代替として、データ・メモリ４ａ及びプログラム・メモリ４ｂは、１つの同じメモリの２つの部分である。
【００２２】
プログラム・メモリ４ｂは、処理ユニットが実行することができるプログラムを保存する。上記プログラムは、特に、処理ユニット４ｃの機能の実施に適した複数の命令行を含み、特に、本発明の背景では、機能は、現在時刻及び計時器の地理的位置に応じて、選択した天体の位置を決定すること、及び上記表示システム８に、決定した位置を表示させることにある。従来の様式では、処理ユニットは、表示システム８に現在時刻を表示させることにある機能も実施する。
【００２３】
処理ユニット４ｃは、回路１に接続され、現在時刻に関連する情報を受信するようにする。本発明の背景において、処理ユニットは、回路２にも接続され、計時器の地理的位置に関連する情報を受信するようにする。代替的に、処理ユニットは、選択手段１０に接続され、位置を表示すべき天体に関連する情報を受信することができる。このことを補足するために、処理ユニットは、あらゆる適切なワイヤレス・リンク（ＷｉＦｉ等）によって遠隔サーバに接続することができ、遠隔サーバからデータ又は指示を受信するようにする。
【００２４】
次に、本発明に特有であり、天体の決定した位置を表示可能にする計時器の第２の動作モードを詳細に説明する。
【００２５】
公知の様式では、中心Ｏ及び３つの相互直交軸Ｘ0、Ｙ0、Ｚ0によって定義されるデカルト座標系（図１）において、点Ａで例える天体位置は、３つの座標（ＸA，ＹA，ＺA）によって定義することができ、３つの座標（ＸA，ＹA，ＺA）は、点Ａの軸Ｘ0、Ｙ0及びＺ0それぞれへの投影点に対応する。天文学の分野でより一般的には、天体は、地上に立つ観測者を中心とする水平座標系で特定される。水平座標系は、天空を２つの半球に分割し、一方は、視点Ｏの上に位置し、もう一方は、視点Ｏの下に位置する。２つの半球を分離する大円は、水平面を定義し、この水平面から、方位角αA及び仰角βAが確立され、方位角αA及び仰角βAは、座標系における天体の２つの重要な座標を構成する。Ｏを通過する水平面は、実際には、地球に接し地上の点Ｏの投影点を通過する面に平行な面である。簡単にするために、図１では、計時器は、点Ｏに位置し、水平面は、面（Ｘ0，Ｙ0）であるとみなされ、北方位は、軸Ｙ0に対応する。方位角αAは、選択した天体の方位（図１で軸Ｙ0に対応する北方位）と水平面（Ｘ0，Ｙ0）への投影点（直線ＯＡp）との間の角度である。方位角αAは、一般に、北方位から開始する時計回り方向で０°から３６０°までの度で表される。仰角βAは、水平面と観測天体との間の垂直角度であり、垂直面から反時計回り方向に度で表される。
【００２６】
このように定義した水平座標系では、天体Ａの位置は、宇宙における中心Ｏ及び水平面に依存し、中心Ｏ及び水平面自体は、観察者の地球上の地理的位置、及び太陽系内の天体に対する地球の位置に依存する。天体に対する地球の位置は、現在時刻及び現在の日付に依存する。したがって、回路２によって決定した計時器の地理的位置、並びに回路１によって決定した現在時刻及び日付は、データ・メモリ４ａ内のメモリに保存した情報と組み合わせて、処理ユニット４ｃが、計算方法を使用して、計時器を中心とする水平座標系内の天体の位置を決定することを可能にする。計算方法は、確かに複雑ではあるが、天文学の分野では周知のものである。
【００２７】
表示針８ａ、８ｂを駆動する手段８ｃは、方位軸Ｙ0（例えば北方位）を決定し、天体Ａの決定した方位角αAに従って、方位軸Ｙ0に対して第１の針を向けるように設計する。上記針は、例えば、通常は現在時刻の分を表示するために使用する針である。この向けることを実施するために、針制御手段は、例えば、北方位Ｙ0を決定することができる２Ｄ磁力計、及び天体の方位角αAに従って、北方位に対して第１の針を水平面に位置決めし、第１の針を所定の位置で保持する手段を備えることができ、第１の針は、更に、計時器の主要面内で自由回転の状態にされる。第１の針の向きは、計時器に関連する座標系とは無関係であり、このことは、向きαAが、計時器の動きが何であれ、計時器の主要面が水平面内に留まる限りは維持されることを意味する。したがって、計時器の主要面を水平面に位置決めし、第１の針の先端によって示される方向を見ることによって、観察者は、計時器の位置を動かした場合でさえ、選択した天体の方位角αAの方向を常に見ている。したがって、第１の針は、北方位と共に角度βAを形成する方向に引きつけられるコンパスの針のように挙動する。
【００２８】
天体の仰角βAは、第２の針を使用していくつかの方法で計時器上に表示することができる（例えば、第２の針は、通常、現在時刻の時を表示するために使用される）。
【００２９】
一実施形態によれば、針制御手段は、第２の針の位置決めを実際的に考慮するために、第２の針を、主要面（ＸM，ＹM）内に、計時器に関連する基準軸ＹMに対して、計時器を中心とする水平座標系における天体の仰角βAに等しい角βで位置決めするように設計し、制御手段８ｃは、主要面内で従来の様式で第２の針を回転させ、次に、針を固定する。本実施形態では、角度βは、計時器に関連する基準軸ＹMに対して定義し、計時器が動いた場合に角度βが依然として一定であるようにする。本実施形態では、天体を見るために、観察者は、以下のように計時器を使用することができる。計時器は、水平面内で向けられ、（天体の方位角に従って向けられた）回転自由な第１の針が、（本例では１２時のマークに対応する）計時器の基準軸ＹMに沿って位置合わせされるようにする。次に、計時器を基準軸ＹM周りに回転させ、基準軸ＹMを水平面に固定したままにし、軸ＹMによって形成した面及び第２の針が垂直であるようにする。次に、観察者は、第２の針の端部が指している方向を見ることによって、選択した天体を見ることができる。
【００３０】
別の実施形態によれば、針回転手段は、計時器を中心とする水平座標系において、水平面に対して、天体の仰角βAで第２の針を向けるように設計する。
【００３１】
この向きを実施するために、針駆動手段は、例えば、北方位を決定することができる３Ｄ磁力計、及び
−水平面内に第１の針を位置決めし、天体の方位角αAに等しい角度で、北方位に対して第１の針を所定の位置に保持し、
−垂直面内に第２の針を位置決めし、天体の仰角βAに等しい角度で、水平面に対して第２の針を所定の位置に保持する
手段を備えることができる。
【００３２】
付随的に、第１の針及び第２の針は、計時器の主要面内で自由回転の状態にされる。第１の針の場合のように、第２の針の向きは、ここで、計時器に関連する座標系とは無関係であり、このことは、この向きβAが、計時器の動きが何であれ、垂直面内で維持されることを意味する。したがって、第２の針は、コンパスの針のように挙動するが、天体に向かって引き付けられる。
【００３３】
本実施形態では、天体を見るために、観察者は、以下のように計時器を使用することができる。計時器は、水平面内に向けられ、（天体の方位角に沿って向けられた）回転自由な第１の針が、（本例では１２時のマークに対応する）計時器の基準軸ＹMに沿って位置合わせされるようする。次に、計時器を基準軸ＹM周りに回転させ、基準軸ＹMを水平面に固定したままにし、軸ＹMによって形成した面及び第２の針が垂直であるようにする。最後に、計時器は、垂直面内に向けられ、（天体の仰角に沿って向けられた）回転自由な第２の針も、計時器の基準軸ＹMに沿って位置合わせされるようにする。次に、２つの針が基準軸ＹMと位置合わせされると、観察者は、２つの針の先端が指している方向を見ることによって、選択した天体を見ることができる。
【００３４】
実施形態の代替形態によれば、可聴信号又は振動により、方位角及び仰角の向きの確認を想定することも可能であり、可聴信号又は振動は、決定した天体を見るための方位角及び仰角が達成されたときに作動する。
【００３５】
本発明による計時器は、計時器の動作モードを選択する選択手段１０を更に備えることができる。手段１０は、絶対に非限定的な例において、いくつかの軸位置を有する回転動作心棒であり、各軸位置は、計時器の１つの動作モードに対応する。
【００３６】
本発明による計時器は、メモリ４ａに記録した複数の天体から１つの天体を選択する手段を更に備えることができる。絶対的に非限定的な例において、天体を選択する手段は、
−デジタル表示要素、
−ユーザが、データ・メモリ内に収容したリストから天体をデジタル表示要素上に連続的に表示することを可能にする漸進手段
−表示される天体を選択するためにユーザが作動することができる制御ボタン等の確認手段
を備えることができる。
【００３７】
一実施形態によれば、漸進手段は、制御ボタンとすることができ、ボタンを連続的に押圧することにより、リスト上の天体をスクロール可能にする。代替として、漸進手段は、計時器の（天体位置を表示する）第２の動作モードに関連する軸方向位置における回転制御心棒とすることができ、心棒の回転により、天体リストのスクロールをもたらす。
【００３８】
有利な代替形態では、ユーザが選択した天体が、ユーザが位置する場所からは見えない場合に、例えばモータの適切な制御の使用により、ユーザにこの事態の状態を知らせる手段をもたらすことを提供することさえ可能であり得、モータにより、針を駆動し、これらの針を特徴位置に入れる。
【００３９】
実施形態の別の代替形態によれば、観察すべき天体を、モバイル・フォン、タブレット等、時計から離れた遠隔端末上で選択し、対応する選択をワイヤレス若しくはコンピュータ通信、又は別の通信手段によって送信することが想定可能であり得る。言うまでもなく、このケースでは、時計は、アンテナ及び／又はソケット並びに適切な受信器回路を備えることになる。
【符号の説明】
【００４０】
１  現在時刻を決定する回路
２  地理的位置を決定する回路
４  天体の位置を決定する手段
４ａ  データ・メモリ
４ｂ  プログラム・メモリ
４ｃ  処理ユニット
８  表示システム
８ａ  針
８ｂ  針
８ｃ  針駆動手段
１０  動作モード選択手段
【図１】
2019049548.tif 000003
【図２】
2019049548.tif 000004
【図３】
2019049548.tif 000005
【図４】
2019049548.tif 000006